(57)【要約】【課題】携帯端末で入力された検査結果とデジタルカメラで撮影する検査写真の撮影ポイントの図面上の正確な位置・方向との正確な関連づけ。【解決手段】Ｓ２１では、ＰＣ３は、携帯端末１から送信された検査結果情報を、通信装置３５を介して受信し、受信した検査結果情報を記憶装置３３に保存する。Ｓ２２では、ＰＣ３は、検査写真と撮影ポイントＩＤの組を記憶装置３３に入力する。Ｓ２３では、ＰＣ３の処理装置３１は、記憶装置３３に記憶された検査結果情報に含まれる撮影ポイントＩＤと検査写真に付帯する撮影ポイントＩＤをキーに、検査結果情報と検査写真を対応づける。【選択図】  図９
2011048673.tif 000002
【特許請求の範囲】
【請求項１】
検査対象の図面上の位置および前記検査対象の検査項目を含む検査情報の入力を受け付ける検査情報入力部と、
前記検査情報を表示する検査情報表示部と、
前記検査対象の検査項目に関連する検査結果の入力を受け付ける検査情報入力部と、
前記検査対象の撮影の位置または方向を示す撮影ポイントの指定を受け付ける検査ポイント指定部と、
前記指定された撮影ポイントの識別情報を送信する検査ポイント識別情報送信部と、
前記撮影ポイントの識別情報と前記検査結果の組である検査結果情報を送信する検査結果送信部と、
を有する携帯端末と、
前記検査対象を被写体とした画像データである検査写真を出力する撮像部と、
前記撮影ポイントの識別情報を受信する撮影ポイント識別情報受信部と、
前記検査写真と前記撮影ポイントの識別情報の組である検査写真情報を送信する検査写真送信部と、
を有する１または複数の撮像装置と、
前記検査結果情報および前記検査写真情報を受信する受信部と、
前記検査結果情報に含まれる撮影ポイントの識別情報と前記検査写真情報に含まれる撮影ポイントの識別情報との同一性に基づいて前記検査結果と前記検査写真とを対応づける対応処理部と、
を備える検査システム。
【請求項２】
前記携帯端末は、
撮影設定情報の入力を受け付ける撮影設定情報入力部と、
前記撮影設定情報を前記複数の撮像装置に送信する撮影設定情報送信部と、
を有し、
前記複数の撮像装置の各々は、
前記撮影設定情報を受信する撮影設定情報受信部と、
前記撮影設定情報に基づいて前記撮像部の撮像条件を設定する設定部と、
を有する請求項１に記載の検査システム。
【請求項３】
前記撮像部は、前記携帯端末から前記撮影ポイントの識別情報を受信したことに応じて前記検査写真の出力を開始する請求項１または２に記載の検査システム。
【請求項４】
前記対応処理部を有する情報処理装置を備える請求項１〜３のいずれかに記載の検査システム。
【請求項５】
前記対応処理部は前記携帯端末に設けられている請求項１〜３のいずれかに記載の検査システム。
【請求項６】
携帯端末が、
検査対象の図面上の位置および前記検査対象の検査項目を含む検査情報の入力を受け付けるステップと、
前記検査情報を表示するステップと、
前記検査対象の検査項目に関連する検査結果の入力を受け付けるステップと、
前記検査対象の撮影の位置または方向を示す撮影ポイントの指定を受け付けるステップと、
前記指定された撮影ポイントの識別情報を送信するステップと、
前記撮影ポイントの識別情報と前記検査結果の組である検査結果情報を送信するステップと、
を実行し、
撮像装置が、
前記検査対象を被写体とした画像データである検査写真を出力するステップと、
前記撮影ポイントの識別情報を受信するステップと、
前記検査写真と前記撮影ポイントの識別情報の組である検査写真情報を送信するステップと、
を実行し、
情報処理装置が、
前記検査結果情報および前記検査写真情報を受信するステップと、
前記検査結果情報に含まれる撮影ポイントの識別情報と前記検査写真情報に含まれる撮影ポイントの識別情報との同一性に基づいて前記検査結果と前記検査写真とを対応づけるステップと、
を実行する検査方法。
【発明の詳細な説明】
【技術分野】
【０００１】
本発明は、建設などの工事における施行検査業務を支援するシステムに関する。
【背景技術】
【０００２】
ビル建設などの工事における施行検査業務、例えば配筋検査と呼ばれる鉄筋の配置状況をチェックする検査に関して、これを効率的に行うためのシステムが従来開発されている。
【０００３】
特許文献１の発明は、工事写真撮影対象部を撮影自在なデジタルカメラを設け、デジタルカメラで撮影した工事写真撮影対象部の複数のデジタル写真をもとにして、それらを工事写真集として整理自在なコンピュータを設けてある工事写真管理システムにおいて、デジタルカメラによって撮影する工事写真撮影対象部毎に、工事写真撮影対象部に係わる説明情報を作成して保存自在な携帯情報端末を設け、携帯情報端末で作成した説明情報を、対応したデジタル写真の一部に重ねて表示する写真合成手段を設けてある。
【０００４】
特許文献２の発明は、建物の完成までの工事において所要の検査情報が入力される携帯情報端末と、検査箇所を撮影するデジタルカメラと、携帯情報端末とデジタルカメラとが接続されて検査情報と検査箇所の画像データを取り込み帳票を作成する検査用帳票作成プログラムを有するコンピュータと、該コンピュータに接続された表示装置と、該コンピュータに適宜に接続される印刷装置とからなる建設工事検査システムであって、画像データが検査情報における検査項目に時間軸によって関連付けられ配設されて帳票作成され、検査項目における検査者の欄には携帯情報端末の入力装置を介して当該検査者の署名が画像データとして入力されるとともに当該署名の画像データには更新用パスワードが属性データとして入力される建設工事検査システムである。
【０００５】
特許文献３によると、撮影担当者は、後述する位置方位付き現場写真送信携帯端末によって、例えば災害現場（この他に工事現場、旅行、観察・・等）の写真画像と位置と撮影方向と年月日、時刻情報、撮影者名等からなる撮影識別情報付き写真画像を中央センターのサーバに送信し、サーバがその撮影方向及び位置が分かるアイコンを生成して時刻情報毎に分けて保存し、これらの全ての方向位置提供用アイコンを撮影位置の地域の地図又はデジタル航空写真画像上に全て表示する。
【先行技術文献】
【特許文献】
【０００６】
【特許文献１】特開２００３−２８８３８４号公報
【特許文献２】特開２００５−１７３６９８公報
【特許文献３】特開２００６−３３１２６０号公報
【発明の概要】
【発明が解決しようとする課題】
【０００７】
特許文献１の発明によると、写真１枚１枚ごとに携帯に取り込んで検査情報と合成しなければならず、大量の写真撮影を必要とする工事現場の検査業務において現実的とは言い難い。また、図面と写真の関連づけに関して、図面上のどの位置でどの方向から撮影したかという詳細を指定することができない。
【０００８】
特許文献２の発明によると、写真と検査情報の関連づけのキーはタイムスタンプのみである。そのため、「どの撮影ポイントで撮った写真か」までは時間から特定できても、「どの位置または方向で撮影した写真か」までを厳密に検査情報に関連づけることはできない。また、デジタルカメラと携帯電話でタイムスタンプを確実に同期する仕組みも言及されていない。
【０００９】
実際には、検査ポイントの「どの位置または方向で撮影したか」という詳細な「撮影ポイント情報」と、撮影したデジタルカメラ写真の対応づけが不十分だと、検査後に携帯端末上に記録した検査結果情報とデジタルカメラ写真とを対応づける煩雑な整理作業が必要となり、検査業務の効率化の寄与がない。
【００１０】
特許文献３の発明は、検査を目的としておらず、写真は地図上にプロットされる。写真の位置情報はＧＰＳを基本としており、建物の中の詳細な位置まで正確に示すことは困難である。また、センターサーバとのネットワーク通信を前提としているが、携帯電話は工事現場で通信圏外にあることが多いため、この発明は工事現場での検査業務に相応しくない。
【００１１】
そこで本発明は、ネットワーク通信を前提とせず携帯端末とデジタルカメラが容易かつ確実に連動することにより、携帯端末で入力される検査結果と検査写真の撮影ポイントの図面上の正確な位置・方向との正確な関連づけの作業と、デジタルカメラでの写真撮影作業とを分担し、写真の分類作業の負担を軽減して、検査業務の効率化を実現する。
【課題を解決するための手段】
【００１２】
本発明は、検査対象の図面上の位置および検査対象の検査項目を含む検査情報の入力を受け付ける検査情報入力部と、検査情報を表示する検査情報表示部と、検査対象の検査項目に関連する検査結果の入力を受け付ける検査情報入力部と、検査対象の撮影の位置または方向を示す撮影ポイントの指定を受け付ける検査ポイント指定部と、指定された撮影ポイントの識別情報を送信する検査ポイント識別情報送信部と、撮影ポイントの識別情報と検査結果の組である検査結果情報を送信する検査結果送信部と、を有する携帯端末と、検査対象を被写体とした画像データである検査写真を出力する撮像部と、撮影ポイントの識別情報を受信する撮影ポイント識別情報受信部と、検査写真と撮影ポイントの識別情報の組である検査写真情報を送信する検査写真送信部と、を有する１または複数の撮像装置と、検査結果情報および検査写真情報を受信する受信部と、検査結果情報に含まれる撮影ポイントの識別情報と検査写真情報に含まれる撮影ポイントの識別情報との同一性に基づいて検査結果と検査写真とを対応づける対応処理部と、を備える検査システムを提供する。
【００１３】
携帯端末は、撮影設定情報の入力を受け付ける撮影設定情報入力部と、撮影設定情報を複数の撮像装置に送信する撮影設定情報送信部と、を有し、複数の撮像装置の各々は、撮影設定情報を受信する撮影設定情報受信部と、撮影設定情報に基づいて撮像部の撮像条件を設定する設定部と、を有する。
【００１４】
撮像部は、携帯端末から撮影ポイントの識別情報を受信したことに応じて検査写真の出力を開始する。
【００１５】
検査システムは、対応処理部を有する情報処理装置を備える。
【００１６】
対応処理部は携帯端末に設けられている。
【００１７】
本発明は、携帯端末が、検査対象の図面上の位置および検査対象の検査項目を含む検査情報の入力を受け付けるステップと、検査情報を表示するステップと、検査対象の検査項目に関連する検査結果の入力を受け付けるステップと、検査対象の撮影の位置または方向を示す撮影ポイントの指定を受け付けるステップと、指定された撮影ポイントの識別情報を送信するステップと、撮影ポイントの識別情報と検査結果の組である検査結果情報を送信するステップと、を実行し、撮像装置が、検査対象を被写体とした画像データである検査写真を出力するステップと、撮影ポイントの識別情報を受信するステップと、検査写真と撮影ポイントの識別情報の組である検査写真情報を送信するステップと、を実行し、情報処理装置が、検査結果情報および検査写真情報を受信するステップと、検査結果情報に含まれる撮影ポイントの識別情報と検査写真情報に含まれる撮影ポイントの識別情報との同一性に基づいて検査結果と検査写真とを対応づけるステップと、を実行する検査方法を提供する。
【発明の効果】
【００１８】
この発明によると、検査結果の入力は携帯端末で、検査写真の撮影は撮像装置で別々に行っても、撮影ポイントの識別情報をキーにして、検査写真と検査結果とが正確に対応づけられる。
【図面の簡単な説明】
【００１９】
【図１】建設検査システムの概略構成図
【図２】携帯端末の内部構成例を示す図
【図３】デジタルカメラの内部構成例を示す図
【図４】パソコンの内部構成例を示す図
【図５】検査結果入力処理のフローチャート
【図６】検査情報の表示例を示す図
【図７】検査項目の表示例を示す図
【図８】撮影処理のフローチャート
【図９】検査結果関連データ保存処理のフローチャート
【図１０】撮影設定処理のフローチャート
【発明を実施するための形態】
【００２０】
＜第１実施形態＞
図１は本発明の好ましい実施形態に係る建設検査システムの概略構成を示す。このシステムは、携帯端末１、デジタルカメラ２、パソコン（ＰＣ）３を含む。携帯端末１、デジタルカメラ２、ＰＣ３は、移動体通信網、インターネットおよびＬＡＮなどで構築されたネットワーク５を介して相互に接続可能である。図１ではデジタルカメラ２は１つだけ示されているが、複数存在してもよい。
【００２１】
携帯端末１は、工事現場の図面や検査ポイント情報、各検査ポイントの検査項目などの検査データを格納し、図面を閲覧しながら検査写真の撮影ポイントを指定したり、検査結果を入力する機能を有する。デジタルカメラ２は、検査写真を撮影するための装置である。パソコン３は、携帯端末１とデジタルカメラ２を接続し、検査データのライフサイクルを管理するコンピュータである。パソコン３は、クライアントパソコンでもよいしサーバでもよい。
【００２２】
図２に示すように、携帯端末１は、撮像装置１１（ＣＣＤ、ＣＭＯＳなどの撮像素子ならびに撮像素子からの画像信号をデジタル画像データに変換する回路）、表示装置１２（液晶ディスプレイとそのドライバなど）、入力装置１３（キー、ボタン、スイッチ、タッチパネルなど）、制御装置１５（ＣＰＵ，ＲＡＭ，ＲＯＭなど撮影設定処理、検査処理、制御処理に必要な回路）、記憶装置１６（ＲＡＭ、ＲＯＭ、ＥＥＰＲＯＭ、ＳＤＲＡＭ、ＶＲＡＭ、メモリカードなど）、通信装置１７（Ir,Bluetooth, LANネットワークアダプタなど）などを備えている。ただし、撮像装置１１は携帯端末１に必須の構成ではないが、デジタルカメラ２の代わりに検査写真を撮影することができる。携帯端末１は、携帯電話やＰＤＡやモバイルパソコンなど公知の携帯情報端末で構成することができる。
【００２３】
携帯端末１は、デジタルカメラ２による検査写真撮影時に、図面上のどの位置またはどの方向から検査対象を撮影したかを示す検査ポイント情報の指定を入力装置から受け付け、デジタルカメラ２に指定された検査ポイント情報を送信する。
【００２４】
記憶装置１６は、検査情報を蓄積している。この検査情報は、以下の情報を含んでいる。
【００２５】
・検査プロフィール情報（現場名、検査種類、検査対象部材、フロアなど）
・図面（現場全体の平面図、検査対象付近を拡大した平面図、伏図、その他補足的な図面など）
・検査ポイント情報（図面上の検査ポイントの座標、検査部材の品番）※検査ポイント数分
・検査項目情報（検査ポイントＩＤ，検査項目（複数個））※検査ポイント数分
図面は、ＨＴＭＬやＸＭＬのようなマークアップ言語を用いて、検査情報に含まれる工事物件名、検査種類、検査箇所の図面、見取り図面を相互に参照可能にする第１のリンク情報、検査情報に含まれる各検査対象部材に対応する部材図面と見取り図面上での各検査対象部材の位置情報とを相互に参照可能にする第２のリンク情報、各検査対象部材の位置情報と検査項目（部材の種類、数、ピッチなど）とを相互に参照可能にする第３のリンク情報を含んでいる。
【００２６】
図３に示すように、デジタルカメラ２は、撮像装置２１（ＣＣＤ、ＣＭＯＳなどの撮像素子ならびに撮像素子からの画像信号をデジタル画像データに変換する回路）、表示装置（液晶ディスプレイとそのドライバなど）２２、入力装置２３（キー、ボタン、スイッチ、タッチパネルなど）、制御装置２５（ＣＰＵ，ＲＡＭ，ＲＯＭなど撮影設定処理、検査処理、制御処理に必要な回路）、記憶装置２６（ＲＡＭ、ＲＯＭ、ＥＥＰＲＯＭ、ＳＤＲＡＭ、ＶＲＡＭ、メモリカードなど）、通信装置２７（Ir,Bluetooth, LANネットワークアダプタなど）などを備えている。なお、これらの構成を有している限り、デジタルカメラ２が携帯端末１を兼ねてもよい。
【００２７】
図４に示すように、パソコン３は、処理装置３１（ＣＰＵ，ＲＡＭ，ＲＯＭなど、演算処理および各部の制御処理に必要な回路）、入力装置３２（キー、ボタン、スイッチ、タッチパネルなど）、記憶装置３３（ＲＡＭ、ＲＯＭ、ＥＥＰＲＯＭ、ＳＤＲＡＭ、ＶＲＡＭ、メモリカードなど）、表示装置３４（液晶ディスプレイとそのドライバなど）、通信装置３５（Ir,Bluetooth, LANネットワークアダプタなど）などを備えている。
【００２８】
図５は携帯端末１の実行する検査結果入力処理のフローチャートを示す。この処理を携帯端末１に実行させるプログラムは携帯端末１の記憶装置１６に記憶されている。
【００２９】
Ｓ１では、携帯端末１は、記憶装置１６の検査情報を読み出し、表示装置１２に表示する。図６は検査情報の表示例を示す。この図では、表示装置１２は、画面最上部にテキストベースの検査プロフィール情報を表示し、画面下部に図面（全体図のうち検査対象付近を拡大した平面図）を表示し、画面右上部に図面（全体図）を表示している。検査対象付近を拡大した平面図には、検査ポイント情報に従い、当該図面における検査ポイントの位置を示す番号アイコンが重畳されている。ただし、任意の箇所を検査する場合は、検査ポイント情報が定められていなくてもよい。また、画面下部には、携帯端末１から入力された検査結果情報に応じて、検査の完了していない検査ポイントのアイコンを表示している。携帯端末１は、この番号アイコンを内蔵のＯＳＤ回路で生成することができる。なお、検査情報の表示の形式はこの図に示したものに限られない。
【００３０】
Ｓ２では、携帯端末１は、表示装置１２に番号アイコンで表示された検査ポイントから、検査を実施する検査ポイントの指定を入力装置１３を介して受け付ける。このように指定される検査ポイントは定点検査ポイントと呼ばれる。あるいは、携帯端末１は、表示装置１２の図面の任意の位置を検査ポイントとして指定する操作を入力装置１３を介して受け付ける。このように指定される検査ポイントは任意点検査ポイントと呼ばれる。指定の入力の仕方は任意であり、検査ポイントの番号に相当するテンキーを押下したり、タッチパネルで図面上の任意の位置あるいは検査ポイントの番号アイコンの表示位置に押圧を加えたり、十字キーの押下に応じて検査ポイント間を移動するカーソルを所望の検査ポイントにセットしてＯＫキーを押下するなどが考えられる。また、検査ポイントの選択の順序すなわちどのような順番で複数の検査ポイントを検査するかも任意である。
【００３１】
Ｓ３では、携帯端末１は、選択された検査ポイント（カレント検査ポイント）に対応する詳細図面と検査項目を表示装置１２に表示する。図７はその表示例を示す。
【００３２】
Ｓ４では、携帯端末１は、カレント検査ポイントに対応する検査項目ごとの検査結果の当否の入力を入力装置１３を介して受け付ける。検査結果の入力の方法は任意である。図７では、携帯端末１は、選択された検査項目ごとに、「ＯＫ」あるいは「ＮＧ」のアイコンの選択入力をタッチやカーソルセットで受けつけることで各検査項目に対応する検査結果を受け付ける。
【００３３】
Ｓ５では、携帯端末１は、検査ポイントの現状を被写体とした検査写真をデジタルカメラ２で撮影すべき位置（図面上の座標）ないし方向（撮影位置から検査ポイントまでの向き）示す撮影ポイントの指定を入力装置１３を介して受け付ける。撮影ポイントの指定の入力の仕方は任意であり、撮影ポイントの番号に相当するテンキーを押下したり、タッチパネルで撮影ポイントの表示位置に押圧を加えたり、十字キーの押下に応じて撮影ポイント間を移動するカーソルを所望の撮影ポイントにセットしてＯＫキーを押下するなどが考えられる。実際に指定された撮影ポイントであるカレント撮影ポイントのアイコンの色や形状は、他の撮影ポイントと異なるもので表示されることが好ましい。
【００３４】
図７では、携帯端末１の表示装置１２は、検査ポイントの周囲八方を囲む８つの撮影ポイントをドットで表示している。入力装置１３がその８つの撮影ポイントのうち左上の撮影ポイントの指定を受け付けると、表示装置１２は撮影ポイントの番号「１」を図面上に重畳して表示する。
【００３５】
Ｓ６では、携帯端末１は、カレント撮影ポイントを一意に識別する情報である撮影ポイントＩＤを、通信装置１７を介してデジタルカメラ２に送信する。通信装置１７の採用する通信方式は任意であるが、工事現場が移動体通信網のエリア圏外である可能性を考慮すると、赤外線やBluetoothなどの近距離無線通信やＵＳＢのような有線通信が有効であろう。携帯端末１は、送信の完了した撮影ポイントＩＤと撮影ポイント情報（図面上の検査ポイントおよび撮影ポイントの位置座標と撮影方向）を記憶装置１６に記憶する。
【００３６】
Ｓ７では、携帯端末１は、カレント検査ポイントでの検査写真の撮影を終了するか否かの指定を入力装置１３を介して受け付ける。検査者は、同一の検査ポイントで異なる撮影ポイントを複数指定した上で検査写真を複数撮影する場合は、終了しないを指定すればよい。携帯端末１は、終了する指定があったことに応じてＳ８の処理に進む。携帯端末１は、終了しない指定があったことに応じて、Ｓ５〜６を検査写真の撮影ごとに繰り返す。よって、携帯端末１は、同一の検査ポイントに対応するカレント撮影ポイントが複数指定されるとしても、カレント撮影ポイント１つ指定されるごとに、それに対応する撮影ポイントＩＤを１つずつ送信する。
【００３７】
Ｓ８では、携帯端末１は、全ての撮影ポイントでの検査写真の撮影を終了するか否かの指定を入力装置１３を介して受け付ける。携帯端末１は、終了する指定があったことに応じてＳ９の処理に進む。携帯端末１は、終了しない指定があったことに応じて、Ｓ２の処理に戻る。
【００３８】
Ｓ９では、携帯端末１は、検査結果情報をＰＣ３に送信する。検査結果情報は、以下の内容を含む。
【００３９】
・検査プロフィール情報（現場名、検査種類、検査対象部材、フロアなど）
・検査実施情報（検査実施年月日、検査開始時刻、検査終了時刻、検査担当者氏名）
・図面（現場全体の平面図、検査対象付近を拡大した平面図、伏図、その他補足的な図面など）
・検査ポイント情報（図面上の座標、検査部材の品番）※検査ポイント数分
・検査項目に対応する検査結果（検査ポイントＩＤ、検査項目、不具合の種類、異常の条件、部材種類、および検査項目に対応する検査結果の組）※検査ポイント数分
・撮影ポイント情報（撮影ポイントＩＤ、図面上の座標、方向、関連づけられている数分の撮影ポイント情報）※検査ポイント数分
なお、携帯端末１が検査結果情報をパソコン３に送信するタイミングは任意である。例えば、携帯端末１が移動体通信網の通信圏内に入ったことに応じて検査結果情報を送信してもよいし、携帯端末１が通信圏内に存在する限りにおいて検査が終了する都度検査結果情報を送信してもよい。
【００４０】
図８はデジタルカメラ２の実行する撮影処理のフローチャートを示す。この処理をデジタルカメラ２に実行させるプログラムはデジタルカメラ２の記憶装置２６に記憶されている。デジタルカメラ２が複数存在している場合は、各々のデジタルカメラ２が下記の処理をそれぞれ独立して実行する。
【００４１】
Ｓ１１では、デジタルカメラ２は、携帯端末１から送信された撮影ポイントＩＤを通信装置２７を介して受信する。デジタルカメラ２は、受信した撮影ポイントＩＤを記憶装置２６のＲＡＭに記憶する。
【００４２】
Ｓ１２では、デジタルカメラ２は、入力装置２３からの撮像指示の入力に応じて撮像装置２１を制御し、検査対象を被写体とした画像データである検査写真の取得を行う。あるいは、デジタルカメラ２は、撮影ポイントＩＤを受信したことに応じて撮像装置２１を制御し、検査対象を被写体とした画像データである検査写真の取得を行うこともできる。撮像指示の入力か撮影ポイントＩＤの受信のいずれをトリガーに検査写真を取得するかは、入力装置２３から選択できてもよい。
【００４３】
Ｓ１３では、デジタルカメラ２の制御装置２５は、検査写真の画像データとＲＡＭに記憶された撮影ポイントＩＤとを対応づける。これらのデータの対応づけの方式は任意である。例えば、検査写真の画像データを圧縮記録する画像ファイルのヘッダやタグやメタデータに付帯情報として撮影ポイントＩＤを書き込む。画像ファイルの圧縮形式やタグの記録形式は任意であり、典型的にはJPEG圧縮記録形式およびExifタグが利用される。あるいは、検査写真の画像データと撮影ポイントＩＤとを別々のファイルにパッケージし、両ファイルをＸＭＬのようなマークアップ言語やリレーショナルテーブルなどでリンクさせてもよい。
【００４４】
Ｓ１４では、デジタルカメラ２の制御装置２５は、Ｓ１３で対応づけられた検査写真の画像データと撮影ポイントＩＤの組を記憶装置２６に記憶する。なお、携帯端末１は撮影ポイントＩＤを１つずつ送信するため、デジタルカメラ２は、１つの撮影ポイントＩＤを受信するごとにＳ１１〜Ｓ１４の処理を実行する。
【００４５】
図９はＰＣ３の実行する検査結果関連データ保存処理のフローチャートを示す。この処理をデジタルカメラ２に実行させるプログラムはＰＣ３の記憶装置３３に記憶されている。
【００４６】
Ｓ２１では、ＰＣ３は、携帯端末１から送信された検査結果情報を、通信装置３５を介して受信し、受信した検査結果情報を記憶装置３３に保存する。携帯端末１とＰＣ３の通信方式は任意であるが、携帯端末１は建設現場におり常に移動体通信網の通信圏内に存在するとは限らない。ＰＣ３は、移動体通信網の通信圏内に携帯端末１が存在する限りにおいて、携帯端末１からの検査結果情報の送信の都度これを受信できる。
【００４７】
Ｓ２２では、ＰＣ３は、検査写真と撮影ポイントＩＤの組を記憶装置３３に入力する。ＰＣ３への検査写真の入力経路は任意である。例えば、デジタルカメラ２が検査写真と撮影ポイントＩＤの組をメモリカードに記録した場合は、ＰＣ２のメモリカードスロットルに挿入された当該メモリカードから撮影ポイントＩＤを付帯情報に有する検査写真の画像ファイルを読み出し、当該画像ファイルを記憶装置３３に入力する。あるいは、ＰＣ３およびデジタルカメラ２のＵＳＢポートをＵＳＢケーブルで接続し、ＵＳＢ通信でデジタルカメラ２の保存している検査写真と撮影ポイントＩＤの組をＰＣ２に送信する。あるいは、ＰＣ３およびデジタルカメラ２を赤外線通信やBluetoothなどの無線ネットワークで接続し、デジタルカメラ２の保存している検査写真と撮影ポイントＩＤの組をＰＣ２に送信する。ＰＣ３とデジタルカメラ２の通信経路は任意であるが、両者が接続されたときに一括してデジタルカメラ２からＰＣ３に検査写真を送信してもよいし、デジタルカメラ２が検査写真を撮影する都度ＰＣ３に検査写真を送信してもよい。デジタルカメラ２が複数存在している場合は、各々のデジタルカメラ２からの検査写真と撮影ポイントＩＤの組を記憶装置３３に入力する。
【００４８】
Ｓ２３では、ＰＣ３の処理装置３１は、記憶装置３３に記憶された検査結果情報に含まれる撮影ポイントＩＤと検査写真に付帯する撮影ポイントＩＤをキーに、検査結果情報と検査写真を対応づける。すなわち、処理装置３１は、検査結果情報に含まれる撮影ポイントＩＤと一致する撮影ポイントＩＤを付帯する検査写真を記憶装置３３から抽出し、同一の撮影ポイントＩＤごとに検査結果情報と検査写真を対応づける。対応づけの方式は任意であり、マークアップ言語により両者の対応を記述すること、あるいはリレーショナルテーブルにより両者の対応を記述することが考えられる。同一の撮影ポイントで撮影した検査写真が複数存在している場合、それらの検査写真には同一の撮影ポイントＩＤを対応づける。
【００４９】
Ｓ２４では、ＰＣ３の処理装置３１は、Ｓ２３で対応づけられた検査結果情報と検査写真の組を検査結果関連データとして改めて記憶装置３３に記憶する。検査結果関連データの保存方法は任意である。例えば、処理装置３１は、記憶装置３３に用意された専用のデータベースに検査結果関連データを検査箇所あるいは検査日時などの所定の規則に沿って分類して格納したり、所定の分類規則に従って用意されたフォルダに検査結果関連データを分類して格納したりする。処理装置３１は、検査結果情報と検査写真の保存先の対応を記述したデータ（例えば、撮影ポイントＩＤ＋検査写真の保存先フォルダのパス）を記憶装置３３に記憶してもよい。
【００５０】
この処理の後、ＰＣ３は、検査結果と検査写真の組を関連づけて、表示装置３４、外部記録媒体、通信端末、プリンタなどに出力することができる。
【００５１】
なお、上記の処理はＰＣ３でなく携帯端末１によって実行することができる。さらに、撮影ポイントＩＤをキーにした検査結果情報と検査写真の対応づけを行う主体はＰＣ３に限らず、情報処理装置（ＣＰＵ，ＲＡＭ，ＲＯＭ，Ｉ／Ｏなどの公知の演算装置を有するもの）ないし情報処理装置を有する電子機器であれば何でもよい。
【００５２】
＜第２実施形態＞
第１実施形態の建設検査システムにおいて、デジタルカメラ２が複数存在しており複数の作業者がチームになってそれぞれのデジタルカメラ２で同一の検査ポイントの異なる撮影ポイントから検査写真を撮影する場合、携帯端末１から複数のデジタルカメラ２の撮影設定を行い、複数のデジタルカメラ２で統一された撮影設定の下で検査写真の撮影を行うことが好ましい。
【００５３】
図１０は携帯端末１およびデジタルカメラ２の実施する撮影設定処理のフローチャートを示す。
【００５４】
Ｓ３１では、携帯端末１は、デジタルカメラ２に設定すべき所望の撮影設定情報の入力を入力装置１３を介して受け付ける。撮影設定情報とは、検査写真の撮影に関して撮像装置２１の動作条件を定める情報であり、例えば、撮影日時情報の取得元（携帯電話１内蔵のリアルタイムクロックやＧＰＳ衛星など）、写真解像度（例えば８００×６００画素）、撮影モード（例えば通常モード、夜景モード、人物モード、フラッシュ強制発光モードなど）、フラッシュのオン／オフ、ホワイトバランスなどを含む。撮影設定情報は、その他の情報、例えば検査ポイントに固有の共通情報（現場の照度など）を含んでいてもよい。
【００５５】
Ｓ３２では、携帯端末１は、入力された撮影設定情報を全てのデジタルカメラ２に送信する。送信経路は任意である。
【００５６】
Ｓ３３では、デジタルカメラ２の各々が、携帯端末１から送信された撮影設定情報を受信する。
【００５７】
Ｓ３４では、デジタルカメラ２の各々が、受信した撮影設定情報に基づいて撮像装置２１（デジタルカメラ２が携帯端末１を兼ねている場合は携帯電話１の撮像装置１１）の撮像条件を設定する。設定の方法は任意であり、デジタルカメラ２が元来備えている撮影設定情報の設定機能を利用することができる。
【００５８】
以上の処理により、携帯電話１で設定した撮影設定情報を、複数のデジタルカメラ２に一律に反映でき、異なるデジタルカメラ２が等しい条件で同一の検査ポイントでの検査写真を撮影できる。また、検査後に各デジタルカメラ２が等しい条件で撮影した検査写真は、撮影ポイントＩＤとともに全てパソコン３に入力され、撮影ポイントＩＤをキーにしてそれらの検査写真と検査結果情報とが正確に対応づけられる。
【符号の説明】
【００５９】
１：携帯端末、２：デジタルカメラ、３：パソコン
【図１】
2011048673.tif 000003
【図２】
2011048673.tif 000004
【図３】
2011048673.tif 000005
【図４】
2011048673.tif 000006
【図５】
2011048673.tif 000007
【図６】
2011048673.tif 000008
【図７】
2011048673.tif 000009
【図８】
2011048673.tif 000010
【図９】
2011048673.tif 000011
【図１０】
2011048673.tif 000012